(57)【特許請求の範囲】
【請求項１】
電気掃除機の本体の上部に、握り部が前後方向となる把手を設け、前記把手の後部に回動軸を設け、把手の前部に把手の回動範囲を規制する係止部を設けて、前記回動軸を中心に略円弧を描くように前記把手を上下方向に回動自在にし、少なくとも前記把手の係止部が最下方の位置まで回動したときは前記握り部が本体表面から埋没し、少なくとも前記把手の係止部が最上方の位置まで回動したときには前記握り部が本体表面から飛び出るように構成し、電気掃除機の本体上部には前記係止部を挿入する開口部を設け、本体上部の後方には下軸受を設け、前記下軸受は本体背面に設けられた排気カバーが有するリブと共に軸受を構成して前記回動軸を挟持し、前記回動軸を回動自在に保持した電気掃除機。
【発明の詳細な説明】
【０００１】
【発明の属する技術分野】
本発明は、本体に持ち運び用の把手を設けた電気掃除機に関するものである。
【０００２】
【従来の技術】
従来の電気掃除機は、例えば特開平５ー４２０９０号公報に示されるのが一般的である。その構成について図４を用いて説明する。上方を開口した下部本体１０４の前方には塵埃を集積する集塵室１０１を形成し、後方にはコード巻き取り装置（図示せず）や吸引風を発生させるモータ１０２等を収納する収納室１０３を形成している。前記収納室１０３上方を覆うように上部本体１０５を下部本体１０４に取り付け、前記集塵室１０１の上方は蓋体１０６により開閉自在に覆っている。
【０００３】
上部本体１０５、下部本体１０４、蓋体１０６により電気掃除機本体１０７の外郭が構成される。電気掃除機本体１０７の重心Ｇ近傍の上部本体１０５に回動中心Ｏを有した略コの字状の把手部１０８を設け、この把手部１０８は電気掃除機本体１０７の後方に位置する握り部１０８ｂと握り部１０８ｂの両端側から回動中心Ｏに伸びる２つのアーム１０８ａから構成されている。そして電気掃除機本体１０７を持ち運ぶときには、握り部１０８ｂを手で握り、握り部１０８ｂが回動中心Ｏの上方に位置しアーム１０８ａが起立状態
になるまで回動させ、この状態で電気掃除機本体１０７を持ち上げ移動させていた。
【０００４】
【発明が解決しようとする課題】
しかしながら、上記従来の構成において、電気掃除機本体１０７を持ち上げるためには把手部１０８を起立状態にさせる動作が必要となり、単に把手部１０８の握り部１０８ｂを握るだけでは持ち運び動作に移行できず、使い勝手が悪かった。また把手部１０８の握り部１０８ｂが掃除機本体１０７の長手方向と直交する方向に設けているので握り部１０８ｂを持って持ち運ぶときには腕がねじれると言う課題がある。
【０００５】
また、把手部の握り部を掃除機本体の前後方向に設けて持ち運びの際に腕がねじれないようにしたものがあるが、この把手部は電気掃除機本体の上部に固定されており、把手部の分だけ電気掃除機本体の高さが大きくなる。特に把手部を設計する場合には使用者が不快なく握ることができるように握り部の大きさをとる必要があり、かつ握り部と本体上面との間に指が入るための充分なスペースを設ける必要があり、電気掃除機本体の高さが高くなり、掃除が終わった後掃除機を立てて収納するときには広い収納スペースを必要とする。
【０００６】
本発明はこのような従来の課題を解決するものであり、把手部の使用性を向上させた電気掃除機を提供することを目的とする。
【０００７】
【課題を解決するための手段】
上記課題を解決するために本発明は、電気掃除機の本体の上部に、握り部が前後方向となる把手を設け、前記把手の後部に回動軸を設け、把手の前部に把手の回動範囲を規制する係止部を設けて、前記回動軸を中心に略円弧を描くように前記把手を上下方向に回動自在にし、少なくとも前記把手の係止部が最下方の位置まで回動したときは前記握り部が本体表面から埋没し、少なくとも前記把手の係止部が最上方の位置まで回動したときには前記握り部が本体表面から飛び出るように構成し、電気掃除機の本体上部には前記係止部を挿入する開口部を設け、本体上部の後方には下軸受を設け、前記下軸受は本体背面に設けられた排気カバーが有するリブと共に軸受を構成して前記回動軸を挟持し、前記回動軸を回動自在に保持したものである。この構成では、電気掃除機の本体に前後方向に沿って握り部を形成しているので、持ち運ぶ腕が捩れることもなく楽に持ち運ぶことができる。また、把手の握り部が上下方向に可動する構成なので、握り部を握る動作で握り部は上方に移動することができ、従前のように握り動作とは別に把手部を回動させる動作が不要となり使い勝手が向上すると共に、持ち運ぶ必要のない場合、握り部は下方に移動できるので、電気掃除機の本体の高さも必要以上に大きくなることもない。
【０００８】
【発明の実施の形態】
上記課題を解決するために本発明の請求項１記載の発明は、電気掃除機の本体の上部に、握り部が前後方向となる把手を設け、前記把手の後部に回動軸を設け、把手の前部に把手の回動範囲を規制する係止部を設けて、前記回動軸を中心に略円弧を描くように前記把手を上下方向に回動自在にし、少なくとも前記把手の係止部が最下方の位置まで回動したときは前記握り部が本体表面から埋没し、少なくとも前記把手の係止部が最上方の位置まで回動したときには前記握り部が本体表面から飛び出るように構成し、電気掃除機の本体上部には前記係止部を挿入する開口部を設け、本体上部の後方には下軸受を設け、前記下軸受は本体背面に設けられた排気カバーが有するリブと共に軸受を構成して前記回動軸を挟持し、前記回動軸を回動自在に保持したものである。この構成では、電気掃除機の本体に前後方向に沿って握り部を形成しているので、持ち運ぶ腕が捩れることもなく楽に持ち運ぶことができる。また、把手の握り部が上下方向に可動する構成なので、握り部を握る動作で握り部は上方に移動することができ、従前のように握り動作とは別に把手部を回動させる動作が不要となり使い勝手が向上すると共に、持ち運ぶ必要のない場合、握り部は下方に移動できるので、電気掃除機の本体の高さも必要以上に大きくなることもない。また、握り部を上下動するとその動きに伴い係止部が上下動するので、従前のように握り動作とは別に把手部を回動させる動作が不要となり使い勝手が向上すると共に、持ち運ぶ必要のない場合、握り部は下方に移動できるので、電気掃除機の本体の高さも必要以上に大きくなることもない。また、持ち運ぶときに握り部を握る動作にて係止部が本体に係止されるまで握り部が上方に移動し、その状態を維持することができる。したがって、次ぎの本体の持ち運び動作に移行する際、握り部が上方に移動した状態にあるので指を挿入し易く、次ぎの持ち運び動作に移行し易くなる。また、握り部の一端側に回動軸を設けたものでは、握り部を上方に移動すると回動軸を中心に握り部が移動し、本体を持ちやすい角度（例えば電気掃除機の本体を水平状態で持ち運ぶのに適した角度）にて握り部がその状態を維持されるので、電気掃除機の本体を楽に持ち運ぶことができる。また、係止部と回動軸との２ヶ所で本体を支えるので、把手の強度を確保でき、安心して使用することができる。また、把手部を電気掃除機の本体に取り付けるとき握り部の係止部を前記本体に挿入後、回動軸側を本体上部の下軸受に設置しその後、排気カバーを本体背面に取り付けることで回動軸を支持することができるので、組立も確実で、把手部を電気掃除機の本体に簡単に、確実に取り付けられる。
【０００９】
【実施例】
以下、本発明の一実施例につき図１〜３を参照して説明する。図において、１は塵埃を集積する集塵室で、上方を開口した本体下部４の前方に配されており、本体下部４の後方には、コード巻き取り装置（図示せず）と塵埃を吸引するためのモータ２を並列収納する収納室３を形成している。本体下部４の後方上部を本体上部５で覆い、収納室３を形成している。また、本体下部４の前方上部には開閉自在な蓋体６を設け、蓋体６により集塵室１の上部を開平自在とし、集塵室１内に溜まった塵埃を廃棄できるようにしている。そして、本体下部４、本体上部５、蓋体６により電気掃除機の本体の外郭を形成している。
【００１０】
７は、電気掃除機の前後方向に沿って握り部８を形成した把手である。この把手７は後端部には下方に延びる延設部９ａを形成し、この延設部９ａの下部に左右に突出する回動軸９を形成している。本体上部５の後方上部には上方を開口した凹部１２ａを有する下軸受１０を設けている。本体上部５及び本体下部４の後面を覆う排気カバー１１には、前記下軸受１０を収容する収容部１１ａを形成し、この収容部１１ａの天井面には垂下リブ１１ｂを形成し、回動軸９を上方から押さえるようにしている。つまり、回動軸９を下軸受１０と別部品の排気カバー１１に設けた垂下リブ１１ｂとで挟持する構成として軸受１２を形成し、この軸受１２で回動軸９を回動自在に保持している。なお、収容部１１ａの上面には回動軸９を設けた延設部９ａを挿入するための切り欠き溝１１ｃを形成しており、また、排気カバー１１の後面上方には排気口１１ｄを設けている。
【００１１】
把手７の握り部８の前端部には下方に延びる可動部８ａを形成し、この可動部８ａの下部には左右方向に突出する係止軸１３を形成している。この係止軸１３は本体上部５の前方上部に形成した収容部５ａ内に配される。収容部５ａの前面側には開口部１５が設けられ、前方から可動部８ａ及び係止軸１３を挿入する構成としている。
【００１２】
収容部５ａの上面には可動部８ａを上下動自在に挿入するきり欠き部５ｂを形成し、この切り欠き部５ｂの幅（左右方向の長さ）は係止軸１３の左右方向の突出代より小さくしており、係止軸１３が収容部５ａから抜け出るのを防止する係止軸受１４を構成することとしている。そして、収容部５ａ内に可動部８ａ及び係止軸１３を収容すると、この収容部５ａ内を可動部８ａ及び係止軸１３が上下動する。収容部５ａについては、収納室３を形成する本体上部５に形成しているが、特に、モータ２を配する収容室３の上部空間に配しており、また、モータ２の吸引力が作用しないように壁５ｂでモータ２の収納室３側とは仕切る構成を採っている。
【００１３】
また、係止軸１３を係止軸受１４の上限近傍に引き上げると、係止軸１３が支持部１６に圧接し、その上限近傍で保持される。したがって、握り部８を引き上げる動作を行うと、回動軸９を中心に握り部８が回動するので、握り部８の前部は上方に移動し、可動部８ａの係止軸１３が上限近傍まで移動すると、係止軸１３が支持部１６に圧接し、その上限近傍で保持された状態となり、握り部８は前方から後方に向かうにしたがって下がる後ろ下がり状態となり、その状態で把手７の握り部８から手を離したとしても、握り部８はその状態を維持している。
【００１４】
また、把手７の握り部８を収納した状態、すなわち、握り部８の可動部８ａの係止軸１３が収容部５ａの下限まで移動した状態では、電気掃除機の本体上部５の上面より握り部８の上面が突出するように、本体上部５の上面から握り部８の上面との間に距離１７を確保している。また、本体上部５の上面には凹部１９を設け、この凹部１９内に把手７の握り部を位置させている。そして、把手７の握り部８を収納した状態では、握り部８の下面と凹部１９の上面との間に隙間Ａ１８が形成される。凹部１９は把手７の握り部８が電気掃除機の本体から上方に大きく突出しないようにするためのもので、握り部８をコンパクトに収納している。
【００１５】
また、凹部１９は握り部８の幅方向（電気掃除機の本体の左右方向）に延びた形状をしており、握り部８を手で握る動作を考慮している。つまり、握り部８の幅方向から指を挿入するので、幅方向に凹部１９が延びていると指を握り部８の下面に挿入しやすくなると共に、隙間Ａ１８が設けられていることにより指の挿入は良好となる。したがって、隙間Ａ１８は指の先が入り込める寸法であればよく、この隙間Ａ１８を不必要に大きく設定する必要もなく、握り部８を不用意に上方に突出させなくてすむ。
【００１６】
上記構成によって、この電気掃除機の本体に前後方向に沿って握り部８を形成した把手７を設け、握り部８の後部に形成した回動軸９を支点として握り部８を上下方向に可動自在に取りつけているので、握り部８を手で握ると握り部８が上方に移動し、その状態で握り部８を持って電気掃除機の本体を持ち運ぶことができる。この持ち運ぶ状態では、前後方向に沿って握り部８を形成していることにより、持ち運ぶ腕が捩れることもなく、楽に電気掃除機を持ち運ぶことができる。
【００１７】
また、握り部８の後部に形成した回動軸９を支点として上下方向に可動自在に取りつけ、回動軸９の反対側に把手７の他方を保持する係止軸１３を設けているので、持ち運ぶときに握り部を握る動作にて係止軸１３が本体に係止されるまで握り部が回動し、本体を持ちやすい角度にて握り部が支持されるので、電気掃除機の本体を楽に持ち運ぶことができる。またこの係止部と回動軸９とで電気掃除機の本体の重さを支えるので無理な力が加わることも無く、把手７の強度も確保でき安心して使用できる。また可動する範囲の上限近傍の支持部１６にて保持しているので、一度、把手７の握り部を上限まで移動させて持ち運び動作を行えば、例えば次の掃除場所に移動する場合の持ち運びの際には、把手７の握り部８を簡単に握ることができる。
【００１８】
また、把手７の握り部８を上限まで移動すれば、把手７の握り部８が後部に形成した回動軸９側に後ろ下がりに傾斜になるので、この状態で握り部８を握って持ち上げる場合を考えると、握った手は自然に後ろ下がり状態となるので、手首に無理な力を加えることなく本体を持ち上げることができ、持ち運び性が良好となる。また、握り部８に高い位置と低い位置とができ、握り部８の高い位置に本体の重心Ｇを略一致させることにより、握り部８を握って本体を持ち上げると、握り部８を握った手は握り部８の高い位置側に移動しようとする力が働き、最終的に高い位置側に握り手が偏った状態でとまり、この状態では握り手が重心Ｇ近傍に位置するので、安定して本体を持ち運ぶことができる。
【００１９】
また、把手７の可動部８ａ及び係止軸１３を収容部５ａの前方開口部１５から挿入し、次いで、回動軸９を下軸受１０の凹部１２ａに上方から挿入し、この状態で排気カバー１１を本体の後面側から装着すると、回動軸９を回動自在に軸支した状態で取り付けることができるので、把手７を本体に簡単、かつ、確実に取り付けられる。また、回動軸９を取り付けると把手７の前後方向の動きも規制でき、収納部５ａの開口部から係止軸１３が抜け出ることも防止できる。なお、収納部５ａの開口部１５から塵埃が侵入するのを防止するために、本実施例では、蓋体６の後方に下方に垂下させた壁６ａを設けて、蓋体６を閉じた状態では開口部１５を壁６ａで閉塞する構成としているが、蓋体６と別部品でこの開口部１５を覆うカバー部材を設けてもよい。
【００２０】
【発明の効果】
以上のように本発明によれば、電気掃除機の本体の上部に、握り部が前後方向となる把手を設け、前記把手の握り部が上下方向に可動する構成としたもので、本体を持ち運ぶ腕が捩れることもなく、楽に電気掃除機の本体を持ち運ぶことができる。また、握り部を握る動作のみで持ち運ぶ動作に移行できるので、電気掃除機の持ち運び性を良好とすることができる。
【図面の簡単な説明】
【図１】  本発明の一実施例を示す電気掃除機の本体の断面図
【図２】  同電気掃除機本体の上面図
【図３】  同電気掃除機の要部分解斜視図
【図４】  従来の電気掃除機本体を示す断面図
【符号の説明】
１    集塵室
２    モータ
３    収納室
４    本体下部（本体）
５    本体上部（本体）
５ａ  収容部
６    蓋体（本体）
７    把手
８    握り部
８ａ  可動部
９    回動軸
１１  排気カバー
１３  係止軸（係止部）
１５  開口部
１６  支持部
１８  隙間Ａ
１９  凹部
【図１】
0004151166.tif 000002
【図２】
0004151166.tif 000003
【図３】
0004151166.tif 000004
【図４】
0004151166.tif 000005